【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
誘導駆動ガス放電ランプアセンブリの２次回路であって，
間隔を保つ第１電極及び第２電極をガス内に有するランプと，
前記第１電極及び前記第２電極に接続された２次コイルと，
前記２次コイルと対向するように，前記第１電極と前記第２電極との間に直列に接続された予熱コンデンサと，
を備える２次回路。
【請求項２】
前記予熱コンデンサは，予熱周波数の電力が前記２次回路に印加されているときは，前記予熱コンデンサを通る電流経路が前記ガスを通る電流経路よりも低いインピーダンスを有し，点灯周波数の電力が前記２次回路に印加されているときは，前記予熱コンデンサを通る前記電流経路が前記ガスを通る前記電流経路よりも高いインピーダンスを有するように選択された特性を有する請求項１に記載の２次回路。
【請求項３】
前記２次コイルと前記第１電極との間に直列に接続された第２コンデンサを更に含む請求項１に記載の２次回路。
【請求項４】
前記予熱周波数は，前記２次コイルと，前記予熱コンデンサと，前記第２コンデンサとの共振周波数にほぼ等しい請求項３に記載の２次回路。
【請求項５】
前記点灯周波数は，前記２次コイルと，前記第２コンデンサとの共振周波数にほぼ等しい請求項３に記載の２次回路。
【請求項６】
周波数制御器及び１次コイルを備える１次回路と，
２次コイルと，ガス放電ランプと，予熱コンデンサと，を備える２次回路であって，前記ガス放電ランプは間隔を保つ第１電極及び第２電極をガス内に有し，前記予熱コンデンサは，前記２次コイルと対向するように，前記第１電極と前記第２電極との間に直列に接続された２次回路と，
予熱周波数では，前記予熱コンデンサが前記第１電極から前記第２電極へ前記ガスを通じて電流が流れることを阻止し，点灯周波数では，前記予熱コンデンサが前記第１電極から前記第２電極へ前記ガスを通じて電流を流すように選択的に動作する前記周波数制御器と，
を備えるガス放電ランプアセンブリ。
【請求項７】
前記２次回路は，点灯コンデンサを含む請求項６に記載のアセンブリ。
【請求項８】
前記点灯コンデンサは，前記２次コイルと前記第１電極との間に直列に接続される請求項７に記載のアセンブリ。
【請求項９】
前記予熱周波数は，前記２次コイルと，前記予熱コンデンサと，前記点灯コンデンサと，の直列共振周波数にほぼ等しいように更に規定される請求項８に記載のアセンブリ。
【請求項１０】
前記点灯周波数は，前記２次コイルと，前記点灯コンデンサと，の共振周波数にほぼ等しいように更に規定される請求項９に記載のアセンブリ。
【請求項１１】
間隔を保つ第１電極と第２電極をガス内に有するガス放電ランプを起動し，点灯させる方法であって，
前記ガス放電ランプに接続された２次コイルと対向するように，前記第１電極と前記第２電極との間に直列に接続された予熱コンデンサを通る電流経路のインピーダンスが，前記ガスを通る電流経路のインピーダンスより低くなる予熱周波数の電力を，前記２次コイル及び前記予熱コンデンサを備える２次回路に印加するステップと，
前記予熱コンデンサを通る電流経路のインピーダンスが，前記ガスを通る電流経路のインピーダンスより高くなる点灯周波数の電力を前記２次回路に印加するステップと，
を有する方法。
【請求項１２】
予熱周波数の電力を印加する前記ステップは，前記ランプを予熱するのに十分な時間実行される請求項１１に記載の方法。
【請求項１３】
予熱周波数の電力を印加する前記ステップは，前記ランプを予熱するのに十分な所定の時間実行される請求項１１に記載の方法。
【請求項１４】
前記予熱周波数は，前記２次コイルと，前記２次回路に接続された点灯コンデンサと，前記予熱コンデンサと，の共振周波数にほぼ等しい請求項１１に記載の方法。
【請求項１５】
前記点灯周波数は，前記２次コイルと前記２次回路に接続された点灯コンデンサとの共振周波数にほぼ等しい請求項１１に記載の方法。
【請求項１６】
間隔を保つ１対の電極をガス内に有するガス放電ランプを起動し，点灯させる方法であって，
前記ガス放電ランプに接続された２次コイルと対向するように，前記の各電極間に接続された予熱コンデンサを通って前記各電極の一方から前記各電極の他方へ電流が流れるように選択した予熱周波数の電力を，前記２次コイル及び前記予熱コンデンサを備える２次回路に印加するステップと，
前記ガスを通って前記各電極の一方から前記各電極の他方へ電流が流れるように選択した点灯周波数の電力を前記２次回路に印加するステップと，
を有する方法。
【請求項１７】
前記予熱周波数は，前記２次コイルと，前記２次回路に接続された点灯コンデンサと，前記予熱コンデンサと，の直列共振周波数にほぼ等しい請求項１６に記載の方法。
【請求項１８】
前記点灯周波数は，前記２次コイルと，前記２次回路に接続された点灯コンデンサと，の直列共振周波数にほぼ等しい請求項１６に記載の方法。
【請求項１９】
前記予熱周波数は，前記点灯周波数のほぼ２倍に等しい請求項１６に記載の方法。
【請求項２０】
前記予熱周波数の電力を印加するステップは，約１秒間から約５秒間実行される請求項１６に記載の方法。
【請求項２１】
誘導駆動ガス放電ランプアセンブリの誘導電力供給システムであって，
予熱周波数及び点灯周波数で動作するタンク回路を備えた１次回路であって，該タンク回路の共振周波数を選択的に変更する共振周波数制御器を備える１次回路と，
間隔を保つ第１電極及び第２電極をガス内に有するランプと，
前記第１電極及び前記第２電極に接続された２次コイルと，
前記２次コイルと対向するように，前記第１電極と前記第２電極との間に直列に接続された予熱コンデンサと，
を備えるシステム。
【請求項２２】
前記予熱コンデンサは，予熱周波数の電力が前記２次回路に印加されているときは，前記予熱コンデンサを通る電流経路が前記ガスを通る電流経路よりも低いインピーダンスを有し，点灯周波数の電力が前記２次回路に印加されているときは，前記予熱コンデンサを通る前記電流経路が前記ガスを通る前記電流経路よりも高いインピーダンスを有するように選択された特性を有する請求項２１に記載のシステム。
【請求項２３】
前記２次コイルと前記第１電極との間に直列に接続された第２コンデンサを更に含む請求項２１に記載のシステム。
【請求項２４】
前記予熱周波数は，前記２次コイルと，前記予熱コンデンサと，前記第２コンデンサとの共振周波数にほぼ等しい請求項２３に記載のシステム。
【請求項２５】
前記点灯周波数は，前記２次コイルと，前記第２コンデンサとの共振周波数にほぼ等しい請求項２３に記載のシステム。
【請求項２６】
周波数制御器及びタンク回路を備えた１次回路であって，該周波数制御器は予熱周波数及び点灯周波数で選択的に動作し，前記タンク回路の共振周波数を選択的に変更する手段を更に備える１次回路と，
２次コイルと，ガス放電ランプと，予熱コンデンサと，を備える２次回路であって，前記ガス放電ランプは間隔を保つ第１電極及び第２電極をガス内に有し，前記予熱コンデンサは，前記２次コイルと対向するように，前記第１電極と前記第２電極との間に直列に接続され，前記予熱コンデンサは前記予熱周波数の電力が前記２次回路に供給されたときは，前記第１電極から前記第２電極へ前記ガスを通じて電流が流れることを阻止し，前記予熱コンデンサは前記点灯周波数の電力が前記２次回路に供給されたときは，前記第１電極から前記第２電極へ前記ガスを通じて電流が流れるようにする２次回路と，
を備えるガス放電ランプアセンブリ。
【請求項２７】
前記タンク回路の共振周波数を変更する前記手段は，前記タンク回路の容量を変更する手段を含む請求項２６に記載のアセンブリ。
【請求項２８】
前記タンク回路の共振周波数を変更する前記手段は，前記タンク回路のインダクタンスを変更する手段を含む請求項２６に記載のアセンブリ。
【請求項２９】
前記２次回路は点灯コンデンサを含む請求項２６に記載のアセンブリ。
【請求項３０】
前記点灯コンデンサは，前記２次コイルと前記第１電極との間に直列に接続される請求項２９に記載のアセンブリ。
【請求項３１】
前記予熱周波数は，前記２次コイルと，前記予熱コンデンサと，前記点灯コンデンサと，の直列共振周波数にほぼ等しいように更に規定される請求項３０に記載のアセンブリ。
【請求項３２】
前記点灯周波数は，前記２次コイルと，前記点灯コンデンサとの共振周波数にほぼ等しいように更に規定される請求項３１に記載のアセンブリ。
【請求項３３】
前記タンク回路の共振周波数を変更する前記手段は，前記１次回路が前記点灯周波数の電力を前記２次コイルに印加しているときは，前記共振周波数が前記点灯周波数にほぼ対応するように調整し，前記１次回路が前記予熱周波数の電力を前記２次コイルに印加しているときは，前記共振周波数が前記予熱周波数にほぼ対応するよう調整にする制御回路を含む請求項３２に記載のアセンブリ。
【請求項３４】
間隔を保つ第１電極及び第２電極をガス内に有するガス放電ランプを起動し，点灯させる方法であって，１次回路はタンク回路及びタンク回路共振周波数制御器を備え，
前記ガス放電ランプに接続された２次コイルと対向するように，前記第１電極と前記第２電極との間に直列に接続された予熱コンデンサを通る電流経路のインピーダンスが，前記ガスを通る電流経路のインピーダンスより低くなる予熱周波数の電力を，前記２次コイル及び前記予熱コンデンサを備える２次回路に印加するステップと，
予熱周波数の電力を２次回路に印加する前記ステップで，前記タンク回路の共振周波数を，前記予熱周波数にほぼ対応するように調整するステップと，
前記予熱コンデンサを通る電流経路のインピーダンスが，前記ガスを通る電流経路のインピーダンスより高くなる点灯周波数の電力を２次回路に印加するステップと，
点灯周波数の電力を２次回路に印加する前記ステップで，前記タンク回路の共振周波数を，前記点灯周波数にほぼ対応するように調整するステップと，
を有する方法。
【請求項３５】
予熱周波数の電力を印加する前記ステップは，前記ランプを予熱するのに十分な時間実行される請求項３４に記載の方法。
【請求項３６】
前記の各調整ステップのうち少なくとも一つは，前記タンク回路の容量を変化させるステップを含む請求項３４に記載の方法。
【請求項３７】
前記の各調整ステップのうち少なくとも一つは，前記タンク回路のインダクタンスを変化させるステップを含む請求項３４に記載の方法。
【請求項３８】
間隔を保つ１対の電極をガス内に有するガス放電ランプを起動し，点灯させる方法であって，
１次回路に接続されたタンク回路の共振周波数が予熱周波数に実質的に一致するように調整するステップと，
前記ガス放電ランプに接続された２次コイルと対向するように，前記の各電極間に接続された予熱コンデンサを通って前記各電極の一方から前記各電極の他方へ電流が流れるように選択した前記予熱周波数の電力を，前記ランプに接続された２次コイル及び前記予熱コンデンサを備える２次回路に印加するステップと，
前記タンク回路の共振周波数が点灯周波数に実質的に一致するように調整するステップと，
前記ガスを通って前記各電極の一方から前記各電極の他方へ電流が流れるように選択した前記点灯周波数の電力を２次回路に印加するステップと，
を有する方法。
【請求項３９】
前記の各調整ステップのうち少なくとも一つは，前記タンク回路の容量と，前記タンク回路のインダクタンスと，のうち少なくとも一つを変更するステップを含む請求項３８に記載の方法。
【請求項４０】
前記予熱周波数は，前記２次コイルと，前記２次回路に接続された点灯コンデンサと，前記予熱コンデンサとの直列共振周波数にほぼ等しく，
前記点灯周波数は，前記２次コイルと，前記点灯コンデンサとの直列共振周波数にほぼ等しい請求項３９に記載の方法。